(57)【特許請求の範囲】
【請求項１】
前面パネル及びファンネルからなる外囲器と、前記前面パネルの内面に形成された蛍光体スクリーンと、前記蛍光体スクリーンに対向して配置された色選別電極と、前記色選別電極を保持するフレームと、前記ファンネル内に設置された電子銃と、前記フレームに保持されて、前記色選別電極より前記電子銃側に設置された内部磁気シールドと、前記フレームと前記内部磁気シールドとの間に配置されたエレクトロンシールド板とを有する陰極線管であって、
前記内部磁気シールドは、対向して配置された略台形状の一対の長辺側板と、対向して配置された略台形状の一対の短辺側板とが、略四角錐面の一部を形成するように組み合わされてなり、前記長辺側板の下側底辺に沿って又はこれを切断するように、前記長辺側板にスリット又は切り欠きが形成されており、
前記エレクトロンシールド板は、その長手方向が前記一対の長辺側板の前記下側底辺と平行である一対の長辺シールド板を含むことを特徴とする陰極線管。
【請求項２】
前記スリット又は切り欠きは、前記下側底辺の中央に設けられている請求項１に記載の陰極線管。
【請求項３】
前記スリット又は切り欠きは、前記下側底辺の中央と端部との間に設けられている請求項１に記載の陰極線管。
【請求項４】
前記長辺側板の前記下側底辺に長辺スカートが接続されており、前記スリットは、前記長辺側板と前記長辺スカートとの境界部に沿って又はこれを跨ぐように形成されている請求項１に記載の陰極線管。
【請求項５】
前記長辺側板の前記下側底辺に長辺スカートが接続されており、前記切り欠きは前記長辺スカートから前記下側底辺を越えて前記長辺側部に及ぶように形成されている請求項１に記載の陰極線管。
【請求項６】
前記長辺側板の前記下側底辺の端部から前記スリット又は切り欠きの前記端部側の端までの距離が２０ｍｍ以上である請求項１に記載の陰極線管。
【請求項７】
前記長辺側板に、下側底辺と上側底辺とを結ぶ方向を長手方向とする第２スリットが形成されている請求項１に記載の陰極線管。
【請求項８】
前記第２スリットは前記上側底辺に達している請求項７に記載の陰極線管。
【請求項９】
前記第２スリットによって分割された前記上側底辺を連結する、非磁性体材料からなる保持板が設けられている請求項８に記載の陰極線管。
【請求項１０】
前記第２スリットは、前記長辺側板の下側底辺に沿って又はこれを切断するように形成された前記スリット又は切り欠きとつながっていない請求項７に記載の陰極線管。
【請求項１１】
前記フレームは中空三角柱断面を有する一対の長辺フレームと一対の短辺フレームとが略矩形状に組み合わされてなり、
前記色選別電極は前記一対の長辺フレームにより架張されており、
前記長辺フレームの前記中空三角柱断面は管軸寄りの端部を備え、
前記短辺フレームと前記色選別電極との間には空間が形成されており、
前記一対の長辺フレームと前記一対の長辺シールド板とが重ね合わされている請求項１に記載の陰極線管。
【発明の詳細な説明】
【０００１】
【発明の属する技術分野】
本発明は、陰極線管内部に備えられ、地磁気などの外部磁界による電子ビームのランディング位置ずれを少なくする内部磁気シールドを備えた陰極線管に関する。
【０００２】
【従来の技術】
図１７は、従来のカラー陰極線管８００の管軸を通る上下方向の断面図である。以下の説明の便宜のために、図示したように、管軸を通り、かつ管軸に垂直な水平方向軸をＸ軸、管軸を通り、かつ管軸に垂直な垂直方向軸をＹ軸、管軸をＺ軸とするＸＹＺ−３次元直交座標系を設定する。
【０００３】
前面パネル８０１とファンネル８０２とが一体化されて外囲器８０３を形成する。前面パネル８０１の内面には略矩形状に蛍光体スクリーン８０４が形成されている。蛍光体スクリーン８０４から離間し、かつこれに対向して、色選別電極（例えばシャドウマスク）８０５がフレーム８１０に架張されて設置されている。フレーム８１０は、その外周面に設置された板バネ状の弾性支持体（図示せず）を、前面パネル８０１の内面に植設されたパネルピン（図示せず）に掛止することで、前面パネル８０１に保持されている。ファンネル８０２のネック部には電子銃８０６が内蔵される。ファンネル８０２の外周面上には偏向ヨーク８０８が設けられており、これによって電子銃８０６からの電子ビーム８０７は水平方向及び垂直方向に偏向されて、蛍光体スクリーン８０４上を走査する。
【０００４】
フレーム８１０の電子銃８０６側の面には、エレクトロンシールド板８２０が設置されている。エレクトロンシールド板８２０の管軸側の端部は、フレーム８１０の内側面より管軸側に突出しており、かつ、電子銃８０６側にわずかに屈曲されている。エレクトロンシールド板８２０は、電子ビーム８０７の軌道が何らかの理由で本来の軌道より外側方向にずれたときに、電子ビーム８０７がフレーム８１０に衝突し、色選別電極８０５側に反射して、表示画像を乱すのを防止する。
【０００５】
また、陰極線管に地磁気などの外部磁界が作用すると、電子ビーム８０７の軌道が変化して、電子ビーム８０７が蛍光体スクリーン８０４の所望する位置に到達せず、いわゆる「ミスランディング」を生じる。この結果、カラー陰極線管においては、色ずれなどの好ましくない現象が生じ、表示画像の品位を低下させる。外部磁界の方向は陰極線管の設置方向によって異なり、また、その大きさは陰極線管の設置位置によって異なる。したがって、陰極線管の設置方向や設置位置にかかわらず常に安定した画像表示を行なうためには、電子ビーム８０７を外部磁界から遮蔽するか、あるいは外部磁界を少なくともミスランディングを生じない方向の磁界に変換する必要がある。このような目的のため、フレーム８１０と偏向ヨーク８０８との間に内部磁気シールド８３０が設置されている。
【０００６】
図１８は、フレーム８１０、エレクトロンシールド板８２０、内部磁気シールド８３０からなる色選別構体の構成を示した分解斜視図である。
【０００７】
フレーム８１０は、所定距離だけ離間して平行に配置された一対の長辺フレーム８１１ａ，８１１ｂと、所定距離だけ離間して平行に配置された一対の短辺フレーム８１２ａ，８１２ｂとからなる。長辺フレーム８１１ａ，８１１ｂは、金属板を断面が中空三角柱形状になるように折り曲げて形成され、その一側面を蛍光体スクリーン側に延伸させて、その端部に色選別電極８０５が架張される。短辺フレーム８１２ａ，８１２ｂは、金属板を断面が略コ字状になるように折り曲げて形成される。一対の長辺フレーム８１１ａ，８１１ｂと一対の短辺フレーム８１２ａ，８１２ｂとを略矩形状に組み合わせて、接合部を溶接してフレーム８１０が構成される。
【０００８】
エレクトロンシールド板８２０は、一対の長辺シールド板８２１ａ，８２１ｂと、一対の短辺シールド板８２２ａ，８２２ｂとを、略矩形状に接合して構成される。
【０００９】
内部磁気シールド８３０は、略台形状の対向する一対の長辺側板８３１ａ，８３１ｂと、略台形状の対向する一対の短辺側板８３２ａ，８３２ｂとを有し、これらを略四角錘面の一部を形成するように接合して構成される。長辺側板８３１ａ，８３１ｂのフレーム８１０側の辺（下側底辺）には、Ｘ−Ｙ平面と略平行になるように屈曲された長辺スカート８３３ａ，８３３ｂが形成されている。また、短辺側板８３２ａ，８３２ｂのフレーム８１０側の辺には短辺スカート８３４ａ，８３４ｂ（短辺スカート８３４ｂは図示せず）が形成されている。
【００１０】
以上のように構成されたフレーム８１０の長辺フレーム８１１ａ，８１１ｂ上に、エレクトロンシールド板８２０の長辺シールド板８２１ａ，８２１ｂと、内部磁気シールド８３０の長辺スカート８３３ａ，８３３ｂとを順に重ね合わせ、それぞれの接合箇所８１５，８２５，８３５で点溶接される。このとき、内部磁気シールド８３０の短辺スカート８３４ａ，８３４ｂは、短辺シールド板８２２ａと短辺フレーム８１２ａとの隙間、及び短辺シールド板８２２ｂと短辺フレーム８１２ｂとの隙間にそれぞれ挿入される。
【００１１】
以上により、図１９に示すような色選別構体が形成される。
【００１２】
内部磁気シールドに関しては、地磁気などの外部磁界を、色ずれなどを生じない方向の磁界に変換する方法が種々提案されている。例えば、内部磁気シールド８３０の一対の短辺側板８３２ａ，８３２ｂにＶ字状の切り欠きを設けることで管軸（Ｚ軸）方向の外部磁界（以下、「管軸磁界」という）によるミスランディングを防止できることが特開昭５３−１５０６１号公報に記載されている。また、一対の長辺側板８３１ａ，８３１ｂに、電子ビームの軌道方向に沿って（即ち、略台形状である長辺側板の上側底辺と下側底辺とを結ぶように）細長いスリット８３６，８３７を設けることにより、Ｘ軸方向の外部磁界（以下、「横磁界」という）によるミスランディングを防止できることが特開昭５８−１７８９４５号公報に記載されている。
【００１３】
【発明が解決しようとする課題】
コンピュータ技術の発展等に伴って、高精細な画像表示が要求されるようになり、表示画素はますますファインピッチ化されつつある。このため、電子ビームのミスランディングに対する許容範囲が厳しくなり、従来の内部磁気シールドの構成では、電子ビームのミスランディングによって無視できない色ずれを生じるようになりつつある。
【００１４】
本発明者らは、電子ビームのミスランディングを起こさせる要因を種々検討した結果、新たな問題因子が存在することを見出した。以下、これについて説明する。
【００１５】
図２０は、図１９のＹ−Ｚ平面に平行なＥ−Ｅ線での矢印方向から見た断面図である。図２０において、紙面上方向から下方向に走る管軸磁界が付与されている場合を考える。管軸磁界は、内部磁気シールド８３０の長辺側板８３１ａに吸収されて、長辺スカート８３３ａに流れる。そして、エレクトロンシールド板８２０の長辺シールド板８２１ａに入り、更にその一部は長辺フレーム８１１ａに入る。このとき、一部の磁界が長辺シールド板８２１ａ及び長辺フレーム８１１ａの管軸寄りの端部から噴き出して、Ｙ軸方向の磁界Ｂｙが発生する。ここでは、長辺側板８３１ａ側の断面を用いて説明したが、長辺側板８３１ｂ側も同様に、長辺シールド板８２１ｂ及び長辺フレーム８１１ｂから管軸側に向かってＹ軸方向の磁界Ｂｙが発生する。このような磁界Ｂｙは電子ビームの軌道をＸ軸方向に変位させるため、色ずれを発生させる。
【００１６】
本発明は、長辺シールド板８２１ａ，８２１ｂ及び長辺フレーム８１１ａ，８１１ｂのＹ軸方向端部から管軸側に噴き出す磁界Ｂｙの発生を少なくすることにより、管軸磁界による電子ビームのミスランディングの発生を防止できる陰極線管を提供することを目的とする。
【００１７】
【課題を解決するための手段】
本発明は、上記の目的を達成するために、以下の構成とする。
【００１８】
本発明に係る陰極線管は、前面パネル及びファンネルからなる外囲器と、前記前面パネルの内面に形成された蛍光体スクリーンと、前記蛍光体スクリーンに対向して配置された色選別電極と、前記色選別電極を保持するフレームと、前記ファンネル内に設置された電子銃と、前記フレームに保持されて、前記色選別電極より前記電子銃側に設置された内部磁気シールドと、前記フレームと前記内部磁気シールドとの間に配置されたエレクトロンシールド板とを有する。前記内部磁気シールドは、対向して配置された略台形状の一対の長辺側板と、対向して配置された略台形状の一対の短辺側板とが、略四角錐面の一部を形成するように組み合わされてなる。前記長辺側板の下側底辺に沿って又はこれを切断するように、前記長辺側板にスリット又は切り欠きが形成されている。前記エレクトロンシールド板は、その長手方向が前記一対の長辺側板の前記下側底辺と平行である一対の長辺シールド板を含むことを特徴とする。
【００１９】
ここで、本発明において「下側底辺」とは、略台形状を有する長辺側板の平行な一対の辺のうち、長い方の辺を意味する。なお、他方の短い方の辺を「上側底辺」と呼ぶことにする。
【００２１】
上記本発明の陰極線管によれば、スリット又は切り欠きが内部磁気シールド内を通過する管軸磁界に対して磁気抵抗として作用して、長辺シールド板及び長辺フレームのＹ軸方向端部から管軸側に噴き出す磁界Ｂｙの発生を少なくするすることができる。その結果、管軸磁界による電子ビームのミスランディングが抑えられ、色ずれの発生を防止することができる。
【００２２】
【発明の実施の形態】
（実施の形態１）
本発明の実施の形態１のカラー陰極線管の構成は、図１７に示したカラー陰極線管８００と、内部磁気シールドを除いて同様である。したがって、内部磁気シールド以外の構成についての詳細な説明を省略する。
【００２３】
図１は、本実施の形態１のカラー陰極線管に使用される色選別構体の構成を示した分解斜視図である。
【００２４】
フレーム８１０及びエレクトロンシールド板８２０は図１８に示したものと同一であり、図１８と同一の部材には同一の符号を付して詳細な説明を省略する。
【００２５】
内部磁気シールド１００は、略台形状の対向する一対の長辺側板１０１ａ，１０１ｂと、略台形状の対向する一対の短辺側板１０２ａ，１０２ｂとを有し、これらを略四角錘面の一部を形成するように接合して構成される。長辺側板１０１ａ，１０１ｂのフレーム８１０側の辺（下側底辺）には、Ｘ−Ｙ平面と略平行になるように屈曲された長辺スカート１０３ａ，１０３ｂが形成されている。また、短辺側板１０２ａ，１０２ｂのフレーム８１０側の辺には短辺スカート１０４ａ，１０４ｂ（短辺スカート１０４ｂは図示せず）が形成されている。
【００２６】
本実施の形態では、長辺側板１０１ａ，１０１ｂに、Ｘ軸方向を長手方向とする細長い第１スリット１１１，１１２が形成されている。第１スリット１１１，１１２は、長辺側板１０１ａ，１０１ｂと長辺スカート１０３ａ，１０３ｂとの境界である屈曲部１０９（これは、略台形状の長辺側板１０１ａ，１０１ｂの下側底辺に一致する）を開口の一方の端部とし、長辺側板１０１ａ，１０１ｂ側に所定高さで開口している。第１スリット１１１のＸ軸方向の中心点は屈曲部（下側底辺）１０９の中点に一致し、その両側の第１スリット１１２は屈曲部（下側底辺）１０９の中点から離れた位置に、該中点に対して対称に形成されている。
【００２７】
更に、一対の長辺側板１０１ａ，１０１ｂに、電子ビームの軌道方向に沿って（即ち、略台形状である長辺側板の上側底辺と下側底辺とを結ぶように）細長い第２スリット１０６，１０７が形成されている。第２スリット１０６は略長方形状でＸ軸方向の中央の位置に、その両側の第２スリット１０７は略台形状でスリット１０６に対して対称の位置に対称形状に形成されている。
【００２８】
内部磁気シールド１００及びエレクトロンシールド板８２０は、高透磁率の材料（例えば軟鉄）を用いて、プレスなどの周知の方法で製造される。
【００２９】
このような内部磁気シールド１００は、従来と同様に、エレクトロンシールド板８２０を介してフレーム８１０に装着され、接合箇所１０５，８２５，８１５で点溶接されて、図２に示す色選別構体が得られる。
【００３０】
次に、本実施の形態の第１スリット１１１，１１２の作用について説明する。
【００３１】
図３は、図２のＹ−Ｚ平面に平行なＡ−Ａ線での矢印方向から見た断面図である。図３において、紙面上方向から下方向に走る管軸磁界が付与されている場合を考える。管軸磁界は、内部磁気シールド１００の長辺側板１０１ａに吸収されて、長辺スカート１０３ａ側に流れようとする。ところが、本実施の形態では、長辺側板１０１ａと長辺スカート１０３ａとの間に第１スリット１１１が存在し、これが抵抗となって管軸磁界の通過を妨げる。その結果、長辺シールド板８２１ａ及び長辺フレーム８１１ａの管軸寄りの端部から噴き出すＹ軸方向の磁界Ｂｙの発生を、図２０の場合に比べて弱めることができ、電子ビームのランディング位置のずれ量を少なくすることができる。第１スリット１１２も同様の作用を有する。また、長辺側板１０１ｂ側においても同様に、第１スリット１１１，１１２により長辺シールド板８２１ｂ及び長辺フレーム８１１ｂの管軸寄りの端部から噴き出すＹ軸方向の磁界Ｂｙの発生を弱めることができる。
【００３２】
上記の作用を具体例を用いて更に詳細に説明する。
【００３３】
上記の図１〜図３に示す構造を有する、対角サイズが３８インチのカラー陰極線管用の色選別構体を製作した。各種寸法は以下の通りである。内部磁気シールド１００を長辺側板１０１ａ側から見た側面図を示した図４において、中央の第１スリット１１１のＸ軸方向長さＷ１＝１６０ｍｍ、そのＺ軸方向高さＨ１＝３ｍｍ、両側の第１スリット１１２のＸ軸方向長さＷ２＝８０ｍｍ、そのＺ軸方向高さＨ２＝３ｍｍ、長辺側板１０１ａの下側底辺の長さＬ＝６００ｍｍ、長辺側板１０１ａのＸ軸方向端部から第１スリット１１２の近い方の端部までの長さＤ１＝６０ｍｍ、第１スリット１１１と第１スリット１１２との間隔Ｄ２＝８０ｍｍとした（実施例１）。
【００３４】
また、両側の第１スリット１１２を形成せず、中央の第１スリット１１１のみを上記と同じ位置に同じ大きさで形成する以外は上記の実施例１と同様にして色選別構体を製作した（実施例２）。
【００３５】
また、第１スリット１１１，１１２を形成しない以外は上記の実施例１と同様にして色選別構体を製作した（比較例１）。
【００３６】
実施例１，２及び比較例１の色選別構体に対して管軸磁界を付与して、長辺シールド板８２１ａ及び長辺フレーム８１１ａの管軸寄りの端部から噴き出すＹ軸方向磁界Ｂｙ（図３，図２０参照）を、Ｘ軸方向に沿って測定した。
【００３７】
その結果を図５〜図８に示す。
【００３８】
図５において、横軸は、下側底辺の中点をＸ＝０ｍｍとしたときのＸ軸方向の位置を示す。縦軸は、Ｘ軸方向の各位置での上記Ｙ軸方向磁界Ｂｙの磁束密度を示す。色選別構体は、Ｘ＝０の位置を中心として対称に形成されており、磁界Ｂｙの測定結果もＸ＝０の位置を中心として対称であったので、Ｘ≦０の領域のみを図示してある。図５の上部に示した領域Ｉは実施例１において中央部の第１スリット１１１が形成されている領域を示し、領域IIはその両側の１スリット１１２が形成されている領域を示す。
【００３９】
また、図６，図７，図８は、それぞれ実施例１，実施例２，比較例１のＹ軸方向磁界Ｂｙの発生状況を、図５に示した結果にしたがって視覚的に示した分解斜視図である。図６〜図８に示した磁界Ｂｙの矢印の長さは、磁界の強さ（磁束密度）に対応している。また、図７において、１００’は、長辺方向の中央部にのみ第１スリット１１１を設けた実施例２の内部磁気シールドを示す。
【００４０】
第１スリット１１１，１１２を設けない比較例１においては、図５及び図８に示すように、磁界Ｂｙは長辺方向の端部（Ｘ＝±３００ｍｍの地点）から中央部に行くにしたがって急激に増加し、Ｘ値が−１５０〜＋１５０ｍｍの範囲で最大かつ一定となる。
【００４１】
これに対して、長辺方向の中央部のみに第１スリット１１１を設けた実施例２においては、図５及び図７に示すように、磁界Ｂｙは比較例１と同様に長辺方向の端部（Ｘ＝±３００ｍｍの地点）から中央部に行くにしたがって急激に増加している。しかしながら、磁界ＢｙはほぼＸ＝±１５０ｍｍの地点で最大となり、これより中央部に行くにしたがって急激に低下する。長辺方向中央部での磁界Ｂｙの低下は第１スリット１１１に起因する。即ち、第１スリット１１１は、管軸磁界に対して磁気抵抗として作用して、長辺方向中央部での磁界Ｂｙの吹き出し量を低下させている。
【００４２】
更に、長辺方向中央部の第１スリット１１１に加えて、その両側に第１スリット１１２を設けた実施例１においては、図５及び図６に示すように、磁界Ｂｙの最大値が実施例２の磁界Ｂｙの最大値の約半分程度にまで低下し、中央部での磁界Ｂｙの強度も実施例２より大きく低下している。このように、実施例１では、第１スリットを長辺方向に３箇所設けたことで、長辺方向の全幅にわたって磁界Ｂｙの吹き出し量を低下させることができ、また、幅方向の磁界Ｂｙの強度のばらつきも低減させることができる。
【００４３】
以上から明らかなように、内部磁気シールドの長辺側板の、フレームとの接続部近傍に、長辺方向を長手方向とする細長いスリットを設けることにより、管軸磁界が内部磁気シールド内を通過するのを妨げることができる。したがって、長辺シールド板８２１ａ，８２１ｂや長辺フレーム８１１ａ，８１１ｂの管軸側の端部から噴き出すＹ軸方向磁界Ｂｙを低減することができる。その結果、電子ビームのミスランディングを少なくし、色ずれの発生を抑えることができる。
【００４４】
第１スリットのＸ軸方向の形成位置は、上記の効果が奏される限り、上記の実施例に限定されない。例えば、実施例１において、長辺方向中央部の第１スリット１１１を設けずに、両側の第１スリット１１２のみを設けることもできる。あるいは、第１スリット１１１と第１スリット１１２とを連続させて形成することもできる。但し、長辺方向に長いスリットは内部磁気シールドの機械的強度を低下させ、振動の発生原因ともなるので、長辺方向において第１スリットが下側底辺に占める割合（図４の例では、（Ｗ２＋Ｗ１＋Ｗ２）／Ｌ）が３／４以下、更には１／２以下であるのが好ましく、これを満足する範囲内で、磁界Ｂｙの分布が最適になるように、必要に応じて第１スリットを長辺方向に複数に分割して設けることが好ましい。
【００４５】
また、内部磁気シールド１００をフレーム８１０に固定するための接合箇所１０５と固定強度とを確保するために、第１スリットを下側底辺の端部まで形成するのは好ましくない。即ち、図４において、下側底辺の端部から第１スリットの該端部側の端までの距離Ｄ１は２０ｍｍ以上であることが好ましく、４０ｍｍ以上であることがより好ましい。
【００４６】
いずれの場合であっても、第１スリットは下側底辺の中点（Ｘ＝０の地点）に対して対称の位置に対称形状に設けることが、画面の左右の色ずれ量のバランスを確保する観点から好ましい。
【００４７】
また、第１スリットの管軸方向の開口高さ（図４のＨ１，Ｈ２）は、管軸磁界の通過を効果的に阻止するために必要なサイズである必要があり、３ｍｍ以上であることが好ましい。しかしながら、開口高さが大きすぎると、電子ビームが通過してハレーションを発生させたり、内部磁気シールドの機械的強度が低下したりする。したがって、上記開口高さは５ｍｍ程度以下とするのが好ましい。
【００４８】
また、上記の例のように、電子ビームの軌跡方向に沿った第２スリット１０６，１０７を設ける場合、これらと第１スリット１１１，１１２とを接続して形成するのは好ましくない。また、可能な限り、第２スリットの延長線上を回避して第１スリットを設けることが好ましい。いずれも、内部磁気シールドの機械的強度を確保するためである。
【００４９】
また、上記の例では、第１スリットは、長辺スカート１０３ａ，１０３ｂと長辺側板１０１ａ，１０１ｂとの境界である屈曲部１０９に沿って、即ち、第１スリットの開口の一方の端部が屈曲部１０９と一致するように、長辺側板側に設けている。屈曲部１０９から電子銃側に離間して設けると、第１スリットと屈曲部１０９との間の領域に管軸磁界が回り込むので、第１スリットの磁気抵抗としての効果が低減する。
【００５０】
次に、第２スリット１０６，１０７について説明する。
【００５１】
第２スリットは、電子ビームの軌道方向に沿って設けられて、横磁界に対して磁気抵抗として作用する。したがって、そのＸ軸方向の開口幅は横磁界の通過を効果的に阻止するために必要なサイズである必要があり、３ｍｍ以上であることが好ましい。しかしながら、開口幅が大きすぎると、管軸磁界に対する遮蔽効果が低減したり、内部磁気シールドの機械的強度が低下したりする。したがって、上記開口幅は２０ｍｍ程度以下とするのが好ましい。
【００５２】
また、一方の長辺側板に形成する第２スリットの本数は上記のように３本に限定されず、陰極線管のサイズなどに応じて適宜変更できる。スリット本数が多いほど横磁界の阻止効果は向上すが、管軸磁界に対する遮蔽効果や機械的強度は低下する。一般には３〜９本が好ましい。第２スリットの配置と形状は、Ｘ＝０の地点を通るＹ−Ｚ平面に平行な直線に対して対称であることが好ましい。各第２スリットのＸ軸方向の位置を変えることで、管軸磁界及び横磁界のそれぞれによる電子ビームのランディング位置の変位量及び変位方向を調整することができる。
【００５３】
（実施の形態２）
本実施の形態２は、内部磁気シールドの第１スリットを除いて上記の実施の形態１と同様である。
【００５４】
図９は、実施の形態２の内部磁気シールド２００の概略構成を示した斜視図である。図９において、実施の形態１の内部磁気シールド１００と同一の機能を有する構成要素には同一の符号を付してある。
【００５５】
本実施の形態の内部磁気シールド２００の第１スリット２１１，２１２は、実施の形態１の第１スリット１１１，１１２と異なり、長辺側板１０１ａ，１０１ｂから屈曲部１０９を越えて長辺スカート１０３ａ，１０３ｂに及ぶように形成されている。
【００５６】
本実施の形態２の内部磁気シールド２００は、実施の形態１と同様に、エレクトロンシールド板８２０を介してフレーム８１０に装着されて（図１参照）、色選別構体を構成する。
【００５７】
図１０は、本実施の形態２の内部磁気シールド２００を用いた色選別構体を図９のＹ−Ｚ平面に平行なＢ−Ｂ線に相当する面で切断した場合の断面図である。図１０において、紙面上方向から下方向に走る管軸磁界が付与されている場合を考える。実施の形態１の場合と同様に、管軸磁界は、内部磁気シールド２００の長辺側板１０１ａに吸収されて、長辺スカート１０３ａ側に流れようとするが、長辺側板１０１ａと長辺スカート１０３ａとの間の第１スリット２１１が抵抗となって管軸磁界の通過を妨げる。その結果、長辺シールド板８２１ａ及び長辺フレーム８１１ａの管軸寄りの端部から噴き出すＹ軸方向の磁界Ｂｙの発生を、図２０の場合に比べて弱めることができ、電子ビームのランディング位置のずれ量を少なくすることができる。第１スリット２１２も同様の作用を有する。また、長辺側板１０１ｂ側においても同様に、第１スリット２１１，２１２により長辺シールド板８２１ｂ及び長辺フレーム８１１ｂの管軸寄りの端部から噴き出すＹ軸方向の磁界Ｂｙの発生を弱めることができる。
【００５８】
第１スリット２１１，２１２のＸ軸方向の形成位置やＸ軸方向の長さ、屈曲部１０９からの管軸（Ｚ軸）方向の開口高さ、第２スリット１０６，１０７との関係は実施の形態１における説明が同様に適用できる。
【００５９】
このように、屈曲部１０９を切断するように（屈曲部１０９を跨ぐように）第１スリットを長辺側板に設けても、実施の形態１と同様の効果が得られる。
【００６０】
（実施の形態３）
本実施の形態３は、内部磁気シールドの長辺スカートを除いて上記の実施の形態２と同様である。
【００６１】
図１１は、実施の形態３の内部磁気シールド３００の概略構成を示した斜視図である。図１１において、実施の形態２の内部磁気シールド２００と同一の機能を有する構成要素には同一の符号を付してある。
【００６２】
本実施の形態３の内部磁気シールド３００の長辺スカート３２０ａ，３２０ｂは、屈曲部１０９を介して長辺側板１０１ａ，１０１ｂと接続された長辺第１スカート３２１ａ，３２１ｂと、長辺第１スカート３２１ａ，３２１ｂと接続された長辺第２スカート３２２ａ，３２２ｂとからなる。長辺第１スカート３２１ａ，３２１ｂはＸ−Ｙ平面と略平行であり、また、長辺第２スカート３２２ａ，３２２ｂはＸ−Ｚ平面と略平行である。
【００６３】
第１スリット２１１，２１２は、実施の形態２と同様に、長辺側板１０１ａ，１０１ｂから屈曲部１０９を越えて長辺第１スカート３２１ａ，３２１ｂに及ぶように形成されている。
【００６４】
本実施の形態３の内部磁気シールド３００は、実施の形態１，２と同様に、エレクトロンシールド板８２０を介してフレーム８１０に装着されて（図１参照）、色選別構体を構成する。
【００６５】
図１２は、本実施の形態３の内部磁気シールド３００を用いた色選別構体を図１１のＹ−Ｚ平面に平行なＣ−Ｃ線に相当する面で切断した場合の断面図である。
【００６６】
図１２において、紙面上方向から下方向に走る管軸磁界が付与されている場合を考える。実施の形態１，２の場合と同様に、管軸磁界は、内部磁気シールド３００の長辺側板１０１ａに吸収されて、長辺スカート３２０ａ側に流れようとするが、長辺側板１０１ａと長辺スカート３２０ａとの間の第１スリット２１１が抵抗となって管軸磁界の通過を妨げる。その結果、長辺シールド板８２１ａ及び長辺フレーム８１１ａの管軸寄りの端部から噴き出すＹ軸方向の磁界Ｂｙの発生を、図２０の場合に比べて弱めることができ、電子ビームのランディング位置のずれ量を少なくすることができる。第１スリット１１２も同様の作用を有する。また、長辺側板１０１ｂ側においても同様に、第１スリット２１１，２１２により長辺シールド板８２１ｂ及び長辺フレーム８１１ｂの管軸寄りの端部から噴き出すＹ軸方向の磁界Ｂｙの発生を弱めることができる。
【００６７】
また、本実施の形態では図１２に示すように、長辺第１スカート３２１ａは長辺シールド板８２１ａを介して長辺フレーム８１１ａの上面（管軸と垂直な面）に積層され、長辺第２スカート３２２ａは長辺フレーム板８１１ａの外側側面と接触する。図示していないが、対向する長辺側の長辺第１スカート３２１ｂ、長辺第２スカート３２２ｂも同様の構造を採る。このように、長辺フレーム８１１ａ，８１１ｂの外側側面と接するように長辺第２スカート３２２ａ，３２２ｂを設けることにより、管軸磁界の磁束が長辺第２スカート３２２ａ，３２２ｂを介して長辺フレーム８１１ａ，８１１ｂの外側側面に流れるので、長辺シールド板８２１ａ，８２１ｂ及び長辺フレーム８１１ａ，８１１ｂの管軸寄りの端部から噴き出すＹ軸方向の磁界Ｂｙを更に弱めることができる。
【００６８】
第１スリット２１１，２１２のＸ軸方向の形成位置やＸ軸方向の長さ、屈曲部１０９からの管軸（Ｚ軸）方向の開口高さ、第２スリット１０６，１０７との関係は実施の形態１における説明が同様に適用できる。
【００６９】
上記に示した内部磁気シールド３００の第１スリット２１１，２１２は実施の形態２と同様の構成であるが、これに代えて実施の形態１と同様の第１スリット１１１，１１２を形成しても良い。
【００７０】
（実施の形態４）
本実施の形態４は、内部磁気シールドの第１スリットを除いて上記の実施の形態１と同様である。
【００７１】
図１３は、実施の形態４の内部磁気シールド４００の概略構成を示した斜視図である。図１３において、実施の形態１の内部磁気シールド１００と同一の機能を有する構成要素には同一の符号を付してある。
【００７２】
本実施の形態の内部磁気シールド４００には、実施の形態１の第１スリット１１１，１１２に代えて、長辺スカート１０３ａ，１０３ｂの自由端側から屈曲部１０９を越えて長辺側板１０１ａ，１０１ｂに及ぶような略矩形状の切り欠き４１１，４１２が形成されている。
【００７３】
本実施の形態４の内部磁気シールド４００は、実施の形態１と同様に、エレクトロンシールド板８２０を介してフレーム８１０に装着されて（図１参照）、色選別構体を構成する。
【００７４】
図１４は、本実施の形態４の内部磁気シールド４００を用いた色選別構体を図１３のＹ−Ｚ平面に平行なＤ−Ｄ線に相当する面で切断した場合の断面図である。図１４において、紙面上方向から下方向に走る管軸磁界が付与されている場合を考える。実施の形態１と同様に、管軸磁界は、内部磁気シールド４００の長辺側板１０１ａに吸収されて、長辺スカート１０３ａ側に流れようとするが、長辺側板１０１ａに形成された切り欠き４１１が抵抗となって管軸磁界の通過を妨げる。その結果、長辺シールド板８２１ａ及び長辺フレーム８１１ａの管軸寄りの端部から噴き出すＹ軸方向の磁界Ｂｙの発生を、図２０の場合に比べて弱めることができ、電子ビームのランディング位置のずれ量を少なくすることができる。切り欠き４１２も同様の作用を有する。また、長辺側板１０１ｂ側においても同様に、切り欠き４１１，４１２により長辺シールド板８２１ｂ及び長辺フレーム８１１ｂの管軸寄りの端部から噴き出すＹ軸方向の磁界Ｂｙの発生を弱めることができる。
【００７５】
切り欠き４１１，４１２のＸ軸方向の形成位置やＸ軸方向の長さ、屈曲部１０９からの管軸（Ｚ軸）方向の開口高さ、第２スリット１０６，１０７との関係は実施の形態１における説明が同様に適用できる。
【００７６】
上記に示した内部磁気シールド４００の長辺スカートを、その自由端側端部を延長しＸ−Ｚ平面と平行となるように折り曲げることにより、実施の形態３の長辺スカート３２０ａ，３２０ｂと同様の形状にしても良い。
【００７７】
（実施の形態５）
本実施の形態５は、内部磁気シールドの第２スリットを除いて上記の実施の形態１と同様である。
【００７８】
図１５は、実施の形態５の内部磁気シールド５００の概略構成を示した斜視図である。図１５において、実施の形態１の内部磁気シールド１００と同一の機能を有する構成要素には同一の符号を付してある。
【００７９】
本実施の形態の内部磁気シールド５００の第２スリット５０６，５０７は、実施の形態１の第２スリット１０６，１０７と異なり、長辺側板１０１ａ，１０１ｂの電子銃側（図１５の紙面の上方向）の端部（上側底辺）にまで達するように形成されている。
【００８０】
このような構成により、第２スリットによる横磁界に対する磁気抵抗効果がより大きく発現し、横磁界による電子ビームのミスランディングをより一層低減することができる。
【００８１】
なお、全ての第２スリットを上記のように上側底辺に達するように形成するのではなく、その一部のみを本実施の形態５のように形成し、他を実施の形態１のように形成しても良い。
【００８２】
本実施の形態の第２スリットは、上述した実施の形態２〜４の内部磁気シールドにも同様に適用することができる。
【００８３】
（実施の形態６）
図１６は、実施の形態６の内部磁気シールド６００の概略構成を示した斜視図である。図１６において、実施の形態５の内部磁気シールド５００と同一の機能を有する構成要素には同一の符号を付してある。
【００８４】
本実施の形態６の内部磁気シールド６００では、長辺側板１０１ａ，１０１ｂに実施の形態５と同様に第２スリット５０６，５０７が形成され、その上側底辺に沿って非磁性体材料（例えば、ステンレス鋼ＳＵＳ３０４など）からなる保持板６０１ａ，６０１ｂを貼り付けて（溶接して）構成されている。
【００８５】
このような構成により、長辺側板１０１ａ，１０１ｂの第２スリット５０６，５０７によって分割された上側底辺が保持板６０１ａ，６０１ｂで連結されるので、内部磁気シールド６００の機械的強度が向上し、有害な振動の発生を防止でき、陰極線管の組立作業も容易になる。
【００８６】
また、保持板６０１ａ，６０１ｂを長辺側板１０１ａ，１０１ｂの上側底辺に沿って取り付けているので、上側底辺と下側底辺との間の位置に取り付ける場合に比べて、機械的強度や振動に対する改善効果が大きい。また、内部磁気シールドの形状精度を維持しやすいので、ラスター歪みや、外部磁界による電子ビームのランディング位置ずれの陰極線管ごとのばらつきを小さく抑えることができる。
【００８７】
上記の各実施の形態で説明した本発明の内部磁気シールドの短辺側板１０２ａ，１０２ｂには、電子銃側端部からフレーム側に向かってＶ字状の切り欠きを設けても良い。
【００８８】
また、上記の説明では、フレーム８１０と内部磁気シールドとの間にエレクトロンシールド板８２０を設置した陰極線管を示したが、本発明はエレクトロンシールド板８２０が設けられていない陰極線管についても適用でき、上記と同様の効果を奏する。但し、エレクトロンシールド板８２０を備えた場合は、図２０に示したＹ軸方向磁界Ｂｙの吹き出し量が増大するので、本発明の効果はエレクトロンシールド板８２０を備えた陰極線管においてより顕著に発現する。
【００８９】
また、本発明においてフレーム８１０の材質は特に問わず、例えば鉄系材料、インバー材などが使用できるが、インバー材を用いた場合に図２０に示したＹ軸方向磁界Ｂｙの吹き出し量が増大するので、本発明の効果はインバー材からなるフレーム８１０を備えた陰極線管においてより顕著に発現する。
【００９０】
【発明の効果】
以上のように、本発明によれば、長辺側板の下側底辺に沿って形成したスリットが内部磁気シールド内を通過する管軸磁界に対して磁気抵抗として作用して、長辺シールド板及び長辺フレームのＹ軸方向端部から管軸側に噴き出す磁界Ｂｙの発生を少なくするすることができる。その結果、管軸磁界による電子ビームのミスランディングが抑えられ、色ずれの発生を防止することができる。
【図面の簡単な説明】
【図１】  本発明の実施の形態１のカラー陰極線管に使用される色選別構体の構成を示した分解斜視図である。
【図２】  本発明の実施の形態１のカラー陰極線管に使用される色選別構体の全体斜視図である。
【図３】  図２のＡ−Ａ線での矢印方向から見た断面図である。
【図４】  本発明の実施の形態１の内部磁気シールドを長辺側板側から見た側面図である。
【図５】  実施例１，２及び比較例１の色選別構体の、Ｙ軸方向磁界Ｂｙの磁束密度分布を示した図である。
【図６】  実施例１のＹ軸方向磁界Ｂｙの発生状況を示した分解斜視図である。
【図７】  実施例２のＹ軸方向磁界Ｂｙの発生状況を示した分解斜視図である。
【図８】  比較例１のＹ軸方向磁界Ｂｙの発生状況を示した分解斜視図である。
【図９】  本発明の実施の形態２の内部磁気シールドの概略構成を示した斜視図である。
【図１０】  本発明の実施の形態２の色選別構体の、第１スリットを通りＹ−Ｚ平面に平行な面における断面図である。
【図１１】  本発明の実施の形態３の内部磁気シールドの概略構成を示した斜視図である。
【図１２】  本発明の実施の形態３の色選別構体の、第２スリットを通りＹ−Ｚ平面に平行な面における断面図である。
【図１３】  本発明の実施の形態４の内部磁気シールドの概略構成を示した斜視図である。
【図１４】  本発明の実施の形態４の色選別構体の、切り欠きを通りＹ−Ｚ平面に平行な面における断面図である。
【図１５】  本発明の実施の形態５の内部磁気シールドの概略構成を示した斜視図である。
【図１６】  本発明の実施の形態６の内部磁気シールドの概略構成を示した斜視図である。
【図１７】  陰極線管の概略構成を示した断面図である。
【図１８】  従来のカラー陰極線管に使用される色選別構体の構成を示した分解斜視図である。
【図１９】  従来のカラー陰極線管に使用される色選別構体の全体斜視図である。
【図２０】  図１９のＥ−Ｅ線での矢印方向から見た断面図である。
【符号の説明】
１００，１００’  内部磁気シールド
１０１ａ，１０１ｂ  長辺側板
１０２ａ，１０２ｂ  短辺側板
１０３ａ，１０３ｂ  長辺スカート
１０４ａ，１０４ｂ  短辺スカート
１０５  接合箇所
１０６，１０７  第２スリット
１０９  屈曲部
１１１，１１２  第１スリット
２００  内部磁気シールド
２１１，２１２  第１スリット
３００  内部磁気シールド
３２０ａ，３２０ｂ  長辺スカート
３２１ａ，３２１ｂ  長辺第１スカート
３２２ａ，３２２ｂ  長辺第２スカート
４００  内部磁気シールド
４１１，４１２  切り欠き
５００  内部磁気シールド
５０６，５０７  第２スリット
６００  内部磁気シールド
６０１ａ，６０１ｂ  保持板
８００  カラー陰極線管
８０１  前面パネル
８０２  ファンネル
８０３  外囲器
８０４  蛍光体スクリーン
８０５  色選別電極
８０６  電子銃
８０７  電子ビーム
８０８  偏向ヨーク
８１０  フレーム
８１１ａ，８１１ｂ  長辺フレーム
８１２ａ，８１２ｂ  短辺フレーム
８１５  接合箇所
８２０  エレクトロンシールド板
８２１ａ，８２１ｂ  長辺シールド板
８２２ａ，８２２ｂ  短辺シールド板
８２５  接合箇所
８３０  内部磁気シールド
８３１ａ，８３１ｂ  長辺側板
８３２ａ，８３２ｂ  短辺側板
８３３ａ，８３３ｂ  長辺スカート
８３４ａ，８３４ｂ  短辺スカート
８３５  接合箇所
８３６，８３７  スリット
【図１】
0003872279.tif 000002
【図２】
0003872279.tif 000003
【図３】
0003872279.tif 000004
【図４】
0003872279.tif 000005
【図５】
0003872279.tif 000006
【図６】
0003872279.tif 000007
【図７】
0003872279.tif 000008
【図８】
0003872279.tif 000009
【図９】
0003872279.tif 000010
【図１０】
0003872279.tif 000011
【図１１】
0003872279.tif 000012
【図１２】
0003872279.tif 000013
【図１３】
0003872279.tif 000014
【図１４】
0003872279.tif 000015
【図１５】
0003872279.tif 000016
【図１６】
0003872279.tif 000017
【図１７】
0003872279.tif 000018
【図１８】
0003872279.tif 000019
【図１９】
0003872279.tif 000020
【図２０】
0003872279.tif 000021